(57)【要約】 【課題】  発射レール上に静止された球に対する弾球ハンマー先端の位置を、容易に調整することができる遊技機の弾球発射装置を提供する。【解決手段】  ベース板１と、ベース板１に装着された弾球ハンマー５と、弾球ハンマー５によって発射される球を静止させるための発射レール２とを有する遊技機の弾球発射装置において、弾球ハンマー５の少なくとも先端をベース板１の前後方向に移動可能として、発射レール２上の静止球との位置関係を調整できるようにした。なお、弾球ハンマー５の少なくとも先端をベース板１の前後方向に移動可能とするには、弾球ハンマー５を装着する弾球軸である駆動源４の回動軸４３またはこれとは別の支軸５１をベース板１の前後方向に摺動可能としても、前記弾球軸に対して弾球ハンマー５全体を前後方向に摺動可能とするか、或いは、弾球ハンマー５の先端を前後方向に撓ませて位置調節すればよい。【選択図】  図２
2006325658.tif 000002
【特許請求の範囲】
【請求項１】
ベース板と、ベース板に装着された弾球ハンマーと、弾球ハンマーによって発射する球を発射位置に静止させるための発射レールとを有する遊技機の弾球発射装置において、弾球ハンマーの少なくとも先端をベース板面の前後方向に移動可能として、発射レール上の静止球との位置関係を調整できるようにしたことを特徴とする遊技機の弾球発射装置。
【請求項２】
ベース板に駆動源の回転軸とは別に設けた支軸に弾球ハンマーを装着し、この支軸をベース板の前後方向に摺動固定可能とすることにより弾球ハンマーをベース板の前後方向に移動可能として、発射レール上の静止球との位置関係を調整できるようにした請求項１に記載の遊技機の弾球発射装置。
【請求項３】
ベース板に駆動源の回転軸とは別に設けた支軸に弾球ハンマーを装着するとともにこの支軸をベース板の前方または後方に付勢する弾性体を装着し、また、ベース板の前面側または後面側には前記支軸をベース板の前後方向に摺動させる位置調整部材を配設し、この位置調整部材により支軸をベース板の前後方向に摺動固定可能とすることにより弾球ハンマーをベース板の前後方向に移動可能として、発射レール上の静止球との位置関係を調整できるようにした請求項１に記載の遊技機の弾球発射装置。
【請求項４】
駆動源の回転軸に弾球ハンマーを装着するとともにこの回転軸をベース板の前方または後方に付勢するコイルバネを装着し、また、回転軸の後端にはこの回転軸をベース板の前後方向に摺動可能とする調節ねじを配設し、この調節ねじにより回転軸をベース板の前後方向に摺動可能とすることにより弾球ハンマーをベース板の前後方向に移動可能として、発射レール上の静止球との位置関係を調整できるようにした請求項１に記載の遊技機の弾球発射装置。
【請求項５】
駆動源の回転軸またはベース板に駆動源の回転軸とは別に設けた支軸に弾球ハンマーを装着するとともにこの回転軸または支軸に雄ねじを形成し、 前記雄ねじに対応する雌ねじを有する円盤状のスペーサを螺入し、このスペーサを回転することにより弾球ハンマーをベース板の前後方向に移動可能として、発射レール上の静止球との位置関係を調整できるようにした請求項１に記載の遊技機の弾球発射装置。    
【請求項６】
駆動源の回転軸またはベース板に駆動源の回転軸とは別に設けた支軸の先端をベース板の前面から突出させてこの突出部分にワッシャーを介して先端がベース板の前後方向に撓むことができる弾球ハンマーを取付けるとともに、弾球ハンマーの途中にこの弾球ハンマーの先端をベース板の前後方向に押圧する位置調節ねじを設け、この位置調節ねじにより弾球ハンマーの先端の撓み量を変えて、発射レール上の静止球との位置関係を調整できるようにした請求項１に記載の遊技機の弾球発射装置。
【請求項７】
駆動源の回転軸またはベース板に駆動源の回転軸とは別に設けた支軸に弾球ハンマーを装着するとともにこの弾球ハンマーをベース板の前方に付勢する弾性体を装着し、この回転軸の前端には弾球ハンマーをベース板の前後方向に摺動させるための位置調整ナットを装着し、この位置調節ナットにより回転軸をベース板の前後方向に摺動可能とすることにより弾球ハンマーをベース板の前後方向に移動可能として、発射レール上の静止球との位置関係を調整できるようにした請求項１に記載の遊技機の弾球発射装置。
【発明の詳細な説明】
【技術分野】
【０００１】
本発明は、球をパチンコ機の遊技盤内に発射するために遊技機の弾球発射装置に関するものである。
【背景技術】
【０００２】
パチンコ機においては、遊技盤の下方に設けられた弾球発射装置から球が発射されて遊技が行われる。弾球発射装置には発射レールが配設され、この発射レール上に静止された球が弾球ハンマーによって打ち出されて上方に案内される。ここで、発射前の球の静止位置が遊技機の前後方向にずれていたような場合には、弾球ハンマーの先端が球の中心に正確に衝突せずに球飛び方向や飛距離にばらつきが生じ、遊技者の遊技意欲が削がれてしまうという問題がある。
【０００３】
特許文献１には、球と弾球ハンマーとの衝突位置を調節可能な発射レール(発射バンド) を備えた球発射装置が開示されている。この発射レールは止めビスを緩めた状態で楔状の調節部材を差し込むことによって発射レールを遊技機の前後方向に摺動させることができる。しかしながら、このものは止めビスを緩めると発射レール全体が大幅に移動してしまうので、位置の微調整を行うことがたいへん困難である。さらに、調整部材を移動させて前後方向の位置を決めるので、位置決め作業がしづらい、調整部材を別途準備せねばならないという問題がある。
【特許文献１】特開平８−２３８３５４号公報（図２２)
【発明の開示】
【発明が解決しようとする課題】
【０００４】
上記したような従来の問題に鑑み、本発明は、弾球ハンマーの先端と発射レール上の静止球との位置関係を簡単な手数で的確容易に調整することができる遊技機の弾球発射装置を提供することをを課題とする。
【課題を解決するための手段】
【０００５】
上記した課題を解決するためになされた本発明は、ベース板と、ベース板に装着された弾球ハンマーと、弾球ハンマーによって発射される球を静止させるための発射レールとを有する遊技機の弾球発射装置において、弾球ハンマーの少なくとも先端をベース板面の前後方向に移動可能として、発射レール上の静止球との位置関係を調整できるようにしたことを特徴とする遊技機の弾球発射装置を請求項１に係る発明とする。なお、弾球ハンマーの少なくとも先端をベース板の前後方向に移動可能とするためには、弾球ハンマーを装着する弾球軸をベース板の前後方向に摺動可能とするか、弾球ハンマーを装着する軸に対して弾球ハンマー全体を前後方向に摺動可能とするか、或いは、弾球ハンマーの先端を前後方向に撓ませて位置調節すればよく、具体的には以下のような手段により実施できる。
【０００６】
まず、弾球ハンマーを装着する弾球軸を、駆動源の回転軸とは別にベース板に装着した支軸とするときは、この支軸をベース板の前後方向に摺動可能とし、これにより弾球ハンマーをベース板の前後方向に移動可能として、発射レール上の静止球との位置関係を調整できるようにすればよく、これを請求項２に係る発明とする。この場合、前記した支軸をベース板の後方に付勢する弾性体を装着するとともに、ベース板の前面側に前記支軸をベース板の前後方向に摺動させる位置調整部材を配設するか、ベース板の後面側に前記支軸をベース板の前後方向に摺動させる位置調整部材を配設し、これらの調整部材により支軸をベース板の前後方向に摺動可能とすることにより弾球ハンマーをベース板の前後方向に移動可能として、発射レール上の静止球との位置関係を調整できるようにすることができ、これらを請求項３に係る発明とする。
【０００７】
また、弾球ハンマーを装着する弾球軸を、駆動源の回転軸自身とするときは、この回転軸に弾球ハンマーとこの回転軸をベース板の後方に付勢するコイルバネを装着するとともに、回転軸の後端にはこの回転軸をベース板の前後方向に摺動可能とする調節ねじを配設し、この調節ねじにより回転軸をベース板の前後方向に摺動可能とすることにより弾球ハンマーをベース板の前後方向に移動可能として、発射レール上の静止球との位置関係を調整できるようにするか、駆動源の回転軸に弾球ハンマーとこの回転軸をベース板の前方に付勢するコイルバネを装着するとともに、回転軸の前端にはこの回転軸をベース板の前後方向に摺動可能とする調節ねじを配設し、この調節ねじにより回転軸をベース板の前後方向に摺動可能とすることにより弾球ハンマーをベース板の前後方向に移動可能として、発射レール上の静止球との位置関係を調整できるようにすればよく、これらを請求項４に係る発明とする。
【０００８】
さらに、弾球ハンマーを装着する回転軸またはベース板に駆動源の回転軸とは別に設けた支軸に対して弾球ハンマー全体を前後方向に摺動可能として位置調節する場合は、回転軸または支軸に弾球ハンマーを装着するとともにこの回転軸または支軸に雄ねじを形成し、前記雄ねじに対応する雌ねじを有する円盤状のスペーサを螺入し、このスペーサを回転することにより弾球ハンマーをベース板の前後方向に移動可能として、発射レール上の静止球との位置関係を調整できるようにすればよく、これを請求項５の発明とする。
【０００９】
さらにまた、弾球ハンマーの先端のみを前後方向に撓ませて位置調節する場合は、弾球ハンマーを装着する軸である駆動源の回転軸或いは回転軸とは別にベース板に設けた支軸の先端をベース板の前面から突出させ、この突出部分にワッシャーを介して先端がベース板の前後方向に撓むことのできる弾球ハンマーを取付けるとともに、弾球ハンマーの途中にこの弾球ハンマーの先端をベース板の前後方向に押圧する位置調節ねじを設け、この位置調節ねじにより弾球ハンマーの先端の撓み量を変えて、発射レール上の静止球との位置関係を調整できるようにすればよく、これを請求項６の発明とする。
【００１０】
また、駆動源の回転軸またはベース板に駆動源の回転軸とは別に設けた支軸に弾球ハンマーを装着するとともにこの弾球ハンマーをベース板の前方に付勢する弾性体を装着し、この回転軸の前端には弾球ハンマーをベース板の前後方向に摺動させるための位置調整ナットを装着し、この位置調節ナットにより回転軸をベース板の前後方向に摺動可能とすることにより弾球ハンマーをベース板の前後方向に移動可能として、発射レール上の静止球との位置関係を調整できるようにしてもよく、これを請求項７に係る発明とする。
【発明の効果】
【００１１】
前記したように本発明はいずれも、弾球ハンマーの少なくとも先端をベース板の前後方向に移動可能として、発射レール上の静止球との位置関係を調整できるようにしたので、発射前における弾球ハンマーの先端と発射レール上の静止球との位置関係を簡単な手数で的確容易に調整することができる。
【発明を実施するための最良の形態】
【００１２】
以下に図面を参照しつつ本発明の最良の実施形態について説明する。
図１、図２は本発明の第１の実施形態の弾球発射装置を示す図であって、１は金属製などのベース板である。このベース板１には、球発射レール２と、発射前の球を発射レール上に静止させておく球静止部材３と、一方向に回動するモーター４により駆動されて球を発射する弾球ハンマー５とが配設されていて、球は球送りレバー６の揺動により一球ずつ送出されて球静止部材３により発射レール２上の所定の位置に静止される。前記した発射レール２は、上面にＶ字状の凹溝を有し、弾球ハンマー５により打ち出された球を上方の遊技盤内に案内する。
【００１３】
弾球ハンマー５は、駆動源として装着もされているモーター４とは別に、ベース板１の前面から張設された支軸５１のベース板より前方側に装着されており、支軸５１のベース板後方側にはバネ５４により球発射力が付与されるハンマー駆動アーム５２が装着されている。前記したモーター４はモーターベース４１を介して支柱４２に固定されており、回転軸４３にはハンマー駆動アーム５２と係合して弾球ハンマー５を揺動させるための略三日月状のハンマーカム４４が取付けられている。
【００１４】
前記支軸５１は、軸受５３により回転可能に支持され、且つその両端には取付ナット５５、５６が螺着されている。また、軸受５３とハンマー駆動アーム５２との間には弾性体である小コイルバネ５７が装着されていて弾球ハンマー５を支軸５１とともにベース板１の後面側に付勢している。そして、取付ナット５６の後端にはスチールボール５８が介在し、このスチールボール５８を前記モーターベース４１の端部に設けた位置調整部材である調節ねじ５９の先端に当接させてある。なお、この図示例では弾球ハンマー５を支軸５１とともにベース板１の後面側に付勢しているが、支軸５１を前後方向に摺動させるようにすればよいので、図示すしないが、支軸５１をベース板１の付勢する弾性体の代わりに支軸５１をベース板１の前方に付勢する弾性体を組み込むようにしてもよい。
【００１５】
以上のように構成された弾球発射装置は、モーター４の回転によりハンマーカム４４が回転され、これによってハンマー駆動アーム５２がハンマーカム４４との係合と解除を繰り返すことによって、弾球ハンマー５が往復回動されて、その都度弾球ハンマー５は発射レール２上に静止された球を打球することができる。
【００１６】
しかしながら、静止された球の中心と、弾球ハンマー５の先端の位置がずれていた場合には、弾球ハンマー５は球に正確に衝突せず、弾球軌道が安定しないこととなる。このような場合には、前記調節ねじ５９を締付ければ、小コイルバネ５７の付勢に抗して支軸５１をベース板１の前方向に摺動させることができるし、また、調節ねじ５９を弛緩すれば、小コイルバネ５７の付勢により支軸５１をベース板１の後方向に摺動させることができる。よって、弾球ハンマー５の先端を正しい位置に調整することができる。
【００１７】
図３に第２の実施形態の弾球発射装置を示す。この形態のものは、モーター４として往復回転可能なモーターを用いてその回転軸４３に弾球ハンマー５を取付けてある。この回転軸４３の後端はベース板１の後面より突出させてあり、このベース板後面から突出する部分、すなわち、モーター４のロータ４５と軸受５３ａとの間には小コイルバネ５７が介在されていて回転軸４３をベース板１の後方に付勢している。そして、その回転軸４３の後端側のモーターハウジング４０には調節ねじ５９が軸受５３ｂを押圧するように螺入されている。したがって、調節ねじ５９を回転することにより軸受５３ｂを介して回転軸４３をベース板１の前後方向に摺動させることができる。なお、駆動源としてモーター４に代えてロータリーソレノイドを用いることができる。
【００１８】
図４に示す第３の実施形態のものも、モーター４として往復回転可能なモーターを用いてその回転軸４３に弾球ハンマー５が取付けられている。そして、このモーター４のロータ４５と軸受５３ａとの間には小コイルバネ５７が介在されて、回転軸４３をベース板１の後面方向に付勢している点も第２の実施形態のものと同じであるが、回転軸４３の後端には軸受５３ｂを押圧する椀状のスラスト受け４６が配設され、このスラスト受け４６の押圧力を調整可能にして、突起４８を有する位置調整板４７がモーターハウジング４０の後面にブリッジ状に螺着されている。ブリッジには位置調整板４７を撓ませることのできるねじＮが取付けられているので、このねじＮを回転することによってスラスト受け４６を押圧する突起４８の位置を調整することができ、これによって回転軸４３をベース板１の前後方向に摺動させることができる。
【００１９】
図５に示す第４の実施形態のものは、前記第３の実施形態の位置調整板４７に代えて、ロックナット６１と調節ねじ６２を用いている。また、図６に示す第５の実施形態のものは、モーター４の後部にアーム６３を設け、このアーム６３にロックナット６１と調節ねじ６２を配設した。また、図７に示す第６の実施形態のものは、前記スラスト受け４６に代えて、スチールボール６４を調節ねじ６２と回転軸４３後端との間に介在させている。したがって、これら何れの形態のものも、調節ねじ６２を締付け・弛緩することにより回転軸４３をベース板１の前後方向に摺動させることができる。
【００２０】
図８には第７の実施形態の弾球発射装置を示す。この実施形態において、ローター４５と軸受５３ｂとの間には小コイルバネ５７が介装されていて、回転軸４３はベース板１の前方に付勢されている。ベース板１の前面には湾曲したアーム６５が螺着され、このアーム６５の先端に調節ねじ６２がロックナット６１とともに配置されている。調節ねじ６２はスチールボール６４を介して回転軸４３の前側端部に当接されているので、調節ねじ６２を回すことによって、回転軸４３をベース板１の前後方向に摺動させることができる。
【００２１】
図９は第８の実施形態の弾球発射装置を示す図である。この実施形態においては、回転軸４３のベース板近傍部分には雄ねじ６６が形成してある。そして、この雄ねじ６６にはこれに対応する雌ねじ６７が形成されている円盤状のスペーサ６８が前記雌ねじ６６を前記雄ねじ６６に螺合させることにより回転自在に取付けられており、このスペーサ６８の前側面には回転軸４３に対して移動可能な弾球ハンマー５がナット５５で押付固定されている。スペーサ６８にはその回転量を指示する指針が設けられ、また、外縁には工具の係合部６９も設けてある。一方、弾球ハンマー５には前記した指針に対応する目盛が設けてある。そして、前記したナットを緩めて工具Ｔを係合部６９に係合させてスペーサ６８を回転させれば、その回転量に対応して弾球ハンマー５をベース板１の前後方向に摺動させることができる。
【００２２】
図１０には、第９の実施形態の弾球発射装置を示す。このものは、回転軸４３のベース板前面から突出する部分にワッシャー７１が装入され、その上に弾球ハンマー５の基部が装着されている。したがって、弾球ハンマーの先端はベース板１の前後方向に撓むことができるものとしてあり、また、回転軸４３には弾球ハンマー５の基部の上に調節アーム７２が取付ナット５５により取り付けられている。調節アーム７２の先端には、弾球ハンマー５の途中を押圧するように調節ねじ７３が配置してある。したがって、この調節ねじ７３を締付け・弛緩することにより、弾球ハンマー５の先端の撓み量が変えられて先端と静止球との位置関係を調整することができる。
【００２３】
第１０の実施形態の弾球発射装置を図１１に示す。当該弾球発射装置においては、回転軸４３に弾性体であるコイルバネ７４が装着されていて、弾球ハンマー５の基部をベース板１の前方に付勢している。また、図１２に示す第１１の実施形態においては、受けカラー７５と波ばね７６により弾球ハンマー５の基部をベース板１の前方に付勢させてある。そして、何れのものも回転軸４３の前端には位置調整ナット７７が螺入されているので、位置調整ナット７７を回転することにより弾球ハンマー５をベース板１の前後方向に摺動させて、位置を微調整することができる。
【００２４】
いずれにしても、本発明は、弾球ハンマーの少なくとも先端をベース板の前後方向に移動可能として発射レール上の静止球との位置関係を調整できるようにしたものであって、そのためには、弾球ハンマーを装着する弾球軸である駆動源の回転軸や、弾球ハンマーとは別にベース板に装着されている支軸をベース板に対して前後方向に摺動可能とするか、弾球ハンマーを装着する弾球軸に対して弾球ハンマー全体を前後方向に摺動可能とするか、或いは、弾球ハンマーの先端を前後方向に撓ませて位置調節することにより発射前の静止球の中心と弾球ハンマー先端との位置を容易にして正確に調整することができる。
【図面の簡単な説明】
【００２５】
【図１】第１の実施形態の弾球発射装置を示す正面図である。
【図２】図１の弾球発射装置の平面図である。
【図３】第２の実施形態の弾球発射装置を示す（ａ）縦断面図と、（ｂ）背面図である。
【図４】第３の実施形態の弾球発射装置を示す（ａ）縦断面図と、（ｂ）背面図である。
【図５】第４の実施形態の弾球発射装置を示す（ａ）縦断面図と、（ｂ）背面図である。
【図６】第５の実施形態の弾球発射装置を示す（ａ）縦断面図と、（ｂ）背面図である。
【図７】第６の実施形態の弾球発射装置を示す（ａ）縦断面図と、（ｂ）背面図である。
【図８】第７の実施形態の弾球発射装置を示す（ａ）正面図と、（ｂ）縦断面図である。
【図９】第８の実施形態の弾球発射装置の（ａ）要部正面図と、（ｂ）縦断面図と、（ｃ）工具を示す図である。
【図１０】第９の実施形態の弾球発射装置を示す縦断面図である。
【図１１】第１０の実施形態の弾球発射装置を示す縦断面図である。
【図１２】第１１の実施形態の弾球発射装置を示す縦断面図である。
【符号の説明】
【００２６】
１  ベース板  
２  発射レール  
５  弾球ハンマー    
４３  回転軸                                                        
４７  位置調整板  
４８  突起      
６６  雄ねじ  
６７  雌ねじ  
６８  スペーサ                  
７１  ワッシヤー  
７２  調節アーム  
７３  調節ねじ  
７４  コイルバネ                                              
７７  位置調整ナット  
【図１】
2006325658.tif 000003
【図２】
2006325658.tif 000004
【図３】
2006325658.tif 000005
【図４】
2006325658.tif 000006
【図５】
2006325658.tif 000007
【図６】
2006325658.tif 000008
【図７】
2006325658.tif 000009
【図８】
2006325658.tif 000010
【図９】
2006325658.tif 000011
【図１０】
2006325658.tif 000012
【図１１】
2006325658.tif 000013
【図１２】
2006325658.tif 000014